(57)【要約】【課題】途切れを抑制して汎用性を向上することができる識別情報受信システムを提供する。【解決手段】所定の全体エリアを複数に分割した分割エリアごとに配置するとともに、識別情報を発信する情報発信端末と、全体エリアの内部を移動可能なユーザに対応して移動するとともに、情報発信端末が発信した識別情報を受信して識別情報に基づく画像を表示画面に表示するためのアプリケーションをインストールした移動端末と、を備え、移動端末は、情報発信端末から受信した識別情報を識別するために、予め設定した全体上限数以下の識別情報をアプリケーションから取得して記憶する記憶部と、記憶部に記憶した上限数以下の識別情報を、複数の分割エリアの出入りに関する所定のタイミングで変更する変更部と、を備える。【選択図】図１
2017182158.tif 000002
【特許請求の範囲】
【請求項１】
所定の全体エリアを複数に分割した分割エリアごとに配置するとともに、識別情報を発信する情報発信端末と、
前記全体エリアの内部を移動可能なユーザに対応して移動するとともに、前記情報発信端末が発信した前記識別情報を受信して当該識別情報に基づく画像を表示画面に表示するためのアプリケーションをインストールした移動端末と、
を備え、
前記移動端末は、
前記情報発信端末から受信した前記識別情報を識別するために、予め設定した全体上限数以下の前記識別情報を前記アプリケーションから取得して記憶する記憶部と、
前記記憶部に記憶した上限数以下の識別情報を、前記複数の分割エリアの出入りに関する所定のタイミングで変更する変更部と、を備える識別情報受信システム。
【請求項２】
前記変更部は、
前記複数の分割エリアのうち前記移動端末が現在位置している分割エリアを特定の分割エリアとして、前記特定の分割エリアに対応した第１所定数の前記識別情報と、前記特定の分割エリアを除く前記全体エリアに対応した第２所定数の前記識別情報と、の合計数が前記全体上限数以下の範囲となるように前記識別情報を変更する、請求項1に記載の識別情報受信システム。
【請求項３】
前記変更部は、
前記所定のタイミングとして、前記特定の分割エリアに入る直前又は入った直後に前記情報発信端末が発信した前記識別情報を受信して前記全体上限数以下の範囲となるように前記識別情報を変更し、前記特定の分割エリアから出る直前又は出た直後、若しくは、前記特定の分割エリアから他の分割エリアに入る直前又は入った直後、のいずれかとする、請求項２に記載の識別情報受信システム。
【請求項４】
前記変更部は、
前記特定の分割エリアに設置の複数の前記情報発信端末を前記特定の分割エリアに関する前記識別情報の発信用として処理し、前記特定の分割エリアを除く前記全体エリア若しくは前記特定の分割エリアを除く他の分割エリアに設置の複数の情報発信端末の１つを前記移動端末の現在位置が移動した際の前記所定のタイミング検出用として処理し、当該所定のタイミング検出用の前記情報発信端末が発信した前記識別情報を受信したことを契機として前記第１所定数と前記第２所定数との合計数が前記全体上限数以下の範囲となるように前記識別情報を変更する、請求項２又は請求項３に記載の識別情報受信システム。
【請求項５】
前記全体エリアに前記複数の分割エリアとして区画されない設計上の共有エリアが存在する場合には、前記移動端末の前記所定のタイミング検出用の情報発信端末を前記共有エリアに１つ以上配置し、
前記変更部は、
前記共有エリアに配置した１つ以上の情報発信端末から前記移動端末の現在位置を基準として１つ以上を前記第２所定数に含めて前記全体上限数以下の範囲となるように前記識別情報を変更する、
請求項２〜請求項４のいずれか１の請求項に記載の識別情報受信システム。
【請求項６】
前記変更部は、
前記全体エリアに対する設計上の前記複数の分割エリアのうち、前記特定の分割エリアを除く他の所定の分割エリアに前記特定の分割エリアと隣接する隣接エリアが存在する場合には、前記全体上限数から前記隣接エリアの数以上を差分した数を前記第１所定数として、前記第１所定数と前記第２所定数との合計数が前記全体上限数以下の範囲となるように前記識別情報を変更する、
請求項２〜請求項５のいずれか１の請求項に記載の識別情報受信システム。
【請求項７】
前記変更部は、
前記全体エリアに対する設計上の前記複数の分割エリアのうち、前記特定の分割エリアに隣接する隣接エリアが最大である数以上を前記第２所定数として固定するとともに、前記全体上限数から前記固定の第２所定数を差分した数以下を前記第１所定数として固定又は可変として、前記第１所定数と前記第２所定数との合計数が前記全体上限数以下の範囲となるように前記識別情報を変更する、
請求項２〜請求項５のいずれか１の請求項に記載の識別情報受信システム。
【請求項８】
前記変更部は、
前記複数の分割エリアの出入口の総数以上を前記第２所定数として固定するとともに、前記全体上限数から前記第２所定数を差分した数以下を前記第１所定数として固定又は可変として、前記第１所定数と前記第２所定数との合計数が前記全体上限数以下の範囲となるように前記識別情報を変更する、
請求項２〜請求項５のいずれか１の請求項に記載の識別情報受信システム。
【請求項９】
前記変更部は、
前記複数の分割エリアの数若しくは前記分割エリアの出入口の数が前記全体上限数を超えている場合には、前記複数の分割エリアに対して予め設定した１つ以上の種別に基づいて前記特定の分割エリアを基準とする種別で前記複数の分割エリアが前記第２所定数以下となるようにグルーピングし、前記第１所定数と前記第２所定数との合計数が前記全体上限数以下の範囲となるように前記識別情報を変更する、
請求項請求項２〜請求項５のいずれか１の請求項に記載の識別情報受信システム。
【請求項１０】
前記情報発信端末は、
前記分割エリアのうち１つの分割エリアに対して、予め設定した前記全体上限数から前記１つの分割エリアと隣接する隣接エリアの数の差分数以下となるように、前記１つの分割エリアに複数配置した、
請求項２〜請求項５のいずれか１の請求項に記載の識別情報受信システム。
【請求項１１】
所定の全体エリアを複数に分割した分割エリアごとに配置するとともに、識別情報を発信する情報発信端末と、
前記全体エリアの内部を移動可能なユーザに対応して移動するとともに、前記情報発信端末が発信した前記識別情報を受信して当該識別情報に基づく通知画像を表示画面に表示するためのアプリケーションをインストールした移動端末と、
を用い、
前記移動端末により、
前記情報発信端末から受信した前記識別情報を識別するために、予め設定した全体上限数以下の前記識別情報を前記アプリケーションから取得して記憶する記憶工程と、
前記記憶部に記憶した上限数以下の識別情報を、前記複数の分割エリアの出入りに関する所定のタイミングで変更する変更工程と、を備える識別情報受信システム。
【請求項１２】
所定の全体エリアを複数に分割した分割エリアごとに配置するとともに、識別情報を発信する情報発信端末と、
前記全体エリアの内部を移動可能なユーザに対応して移動するとともに、前記情報発信端末が発信した前記識別情報を受信して当該識別情報に基づく通知画像を表示画面に表示するためのアプリケーションをインストールした移動端末と、
を用い、
前記移動端末のコンピュータに、
前記情報発信端末から受信した前記識別情報を識別するために、予め設定した全体上限数以下の前記識別情報を前記アプリケーションから取得して記憶部に記憶する記憶機能と、
前記記憶部に記憶した上限数以下の識別情報を、前記複数の分割エリアの出入りに関する所定のタイミングで変更する変更機能と、
を実現させる
【発明の詳細な説明】
【技術分野】
【０００１】
本発明は、識別情報受信システム及び識別情報受信方法並びに識別情報受信プログラムであって、特に、複数の情報発信端末を用いた複数のエリアにおける識別情報受信システム及び識別情報受信方法並びに識別情報受信プログラムに関する。
【背景技術】
【０００２】
従来から、スマートフォン等の携帯端末や専用端末等を用い、情報発信端末から発信した識別情報を受信することによりアプリケーションを起動してユーザに有用な各種情報を表示画面に表示するようにした識別情報受信システムが知られている。
【０００３】
また、識別情報受信システムには、例えば、高速道路のサービスエリア等において、進入路を送信ゾーンとしてサービスエリアの構造・設備・施設などの情報を送信する進入路ビーコン送信機と、駐車エリアを送信ゾーンとして道路情報などを送信する駐車エリアビーコン送信機とを備え、進入路を通過する車両に対して進入路ビーコン送信機から情報を送信し、駐車エリアに駐車中の車両に対しては駐車エリアビーコン送信機から情報を送信する識別情報受信システムも知られている（例えば、特許文献１参照）。
【先行技術文献】
【特許文献】
【０００４】
【特許文献１】特開２０００−３４８２８８号公報
【発明の概要】
【発明が解決しようとする課題】
【０００５】
しかしながら、上述した識別情報受信システムにおいては、複数のエリア（ゾーン）に存在する車両に対して所定の情報を表示させるものであって、車両が進入路から駐車ゾーンに移動している途中や、広い駐車エリアのどの駐車スペースに車両が移動したのかの導線を認識できるものではなかった。
【０００６】
このため、車両がどのような経路で駐車エリアを移動したのか、或は、トイレが近くにあるのか遠くにあるのか、のように現在位置に細かく対応した識別情報を提供することができなかった。
【０００７】
一方、近年のスマートフォン等の携帯端末には、機種によって複数（例えば、２０）の情報発信端末からの識別情報を受信して識別することができるアプリケーションを予めインストールしているものがある。
【０００８】
しかしながら、このような携帯端末を用いたとしても、上述したようなエリア全体の広さと情報発信端末の発信可能距離との関係によっては識別情報を受信することができない範囲が存在する可能性がある。
【０００９】
このため、リアルタイムで有用な識別情報を受信することができなかったり、導線を認識することができない等、識別情報の途切れが発生し易く、汎用性が低いという問題が生じていた。
【００１０】
そこで、本発明は、情報の途切れを抑制して汎用性を向上することができる識別情報受信システム及び識別情報受信方法並びに識別情報受信プログラムを提供することを目的とする。
【課題を解決するための手段】
【００１１】
上記課題を解決するため、本発明に係る識別情報受信システムは、所定の全体エリアを複数に分割した分割エリアごとに配置するとともに、識別情報を発信する情報発信端末と、全体エリアの内部を移動可能なユーザに対応して移動するとともに、情報発信端末が発信した識別情報を受信して識別情報に基づく画像を表示画面に表示するためのアプリケーションをインストールした移動端末と、を備え、移動端末は、情報発信端末から受信した識別情報を識別するために、予め設定した全体上限数以下の識別情報をアプリケーションから取得して記憶する記憶部と、記憶部に記憶した上限数以下の識別情報を、複数の分割エリアの出入りに関する所定のタイミングで変更する変更部と、を備えるものである。
【００１２】
変更部は、複数の分割エリアのうち移動端末が現在位置している分割エリアを特定の分割エリアとして、特定の分割エリアに対応した第１所定数の識別情報と、特定の分割エリアを除く全体エリアに対応した第２所定数の識別情報と、の合計数が全体上限数以下の範囲となるように識別情報を変更する、ものである。
【００１３】
変更部は、所定のタイミングとして、特定の分割エリアに入る直前又は入った直後に情報発信端末が発信した識別情報を受信して全体上限数以下の範囲となるように識別情報を変更し、特定の分割エリアから出る直前又は出た直後、若しくは、特定の分割エリアから他の分割分エリアに入る直前又は入った直後に、情報発信端末が発信した識別情報を受信して全体上限数以下の範囲となるように識別情報を変更する、ものである。
【００１４】
変更部は、特定の分割エリアに設置の複数の情報発信端末を特定の分割エリアに関する識別情報の発信用として処理し、特定の分割エリアを除く全体エリア若しくは特定の分割エリアを除く他の分割エリアに設置の複数の情報発信端末の１つを移動端末の現在位置が移動した際の所定のタイミング検出用として処理し、所定のタイミング検出用の情報発信端末が発信した識別情報を受信したことを契機として第１所定数と第２所定数との合計数が全体上限数以下の範囲となるように識別情報を変更するものである。
【００１５】
全体エリアに複数の分割エリアとして区画されない設計上の共有エリアが存在する場合には、移動端末の所定のタイミング検出用の情報発信端末を共有エリアに１つ以上配置し、変更部は、共有エリアに配置した１つ以上の情報発信端末から移動端末の現在位置を基準として１つ以上を第２所定数に含めて全体上限数以下の範囲となるように識別情報を変更する、ものである。
【００１６】
変更部は、全体エリアに対する設計上の複数の分割エリアのうち、特定の分割エリアを除く他の所定の分割エリアに特定の分割エリアと隣接する隣接エリアが存在する場合には、全体上限数から隣接エリアの数以上を差分した数を第１所定数として、第１所定数と第２所定数との合計数が全体上限数以下の範囲となるように識別情報を変更する、ものである。
【００１７】
変更部は、全体エリアに対する設計上の複数の分割エリアのうち、特定の分割エリアに隣接する隣接エリアが最大である数以上を第２所定数として固定するとともに、全体上限数から固定の第２所定数を差分した数以下を第１所定数として固定又は可変として、第１所定数と第２所定数との合計数が全体上限数以下の範囲となるように識別情報を変更する、ものである。
【００１８】
変更部は、複数の分割エリアの出入口の総数以上を第２所定数として固定するとともに、全体上限数から第２所定数を差分した数以下を第１所定数として固定又は可変として、第１所定数と第２所定数との合計数が全体上限数以下の範囲となるように識別情報を変更する、ものである。
【００１９】
変更部は、複数の分割エリアの数若しくは分割エリアの出入口の数が全体上限数を超えている場合には、複数の分割エリアに対して予め設定した１つ以上の種別に基づいて特定の分割エリアを基準とする種別で複数の分割エリアが第２所定数以下となるようにグルーピングし、第１所定数と第２所定数との合計数が全体上限数以下の範囲となるように識別情報を変更する、ものである。
【００２０】
情報発信端末は、分割エリアのうち１つの分割エリアに対して、予め設定した全体上限数から１つの分割エリアと隣接する隣接エリアの数の差分数以下となるように、１つの分割エリアに複数配置した、ものである。
【００２１】
所定の全体エリアを複数に分割した分割エリアごとに配置するとともに、識別情報を発信する情報発信端末と、全体エリアの内部を移動可能なユーザに対応して移動するとともに、情報発信端末が発信した識別情報を受信して識別情報に基づく通知画像を表示画面に表示するためのアプリケーションをインストールした移動端末と、を用い、移動端末により、情報発信端末から受信した識別情報を識別するために、予め設定した全体上限数以下の識別情報をアプリケーションから取得して記憶する記憶工程と、記憶部に記憶した上限数以下の識別情報を、複数の分割エリアの出入りに関する所定のタイミングで変更する変更工程と、を備えるものである。
【００２２】
所定の全体エリアを複数に分割した分割エリアごとに配置するとともに、識別情報を発信する情報発信端末と、全体エリアの内部を移動可能なユーザに対応して移動するとともに、情報発信端末が発信した識別情報を受信して識別情報に基づく通知画像を表示画面に表示するためのアプリケーションをインストールした移動端末と、を用い、移動端末のコンピュータに、情報発信端末から受信した識別情報を識別するために、予め設定した全体上限数以下の識別情報をアプリケーションから取得して記憶部に記憶する記憶機能と、記憶部に記憶した上限数以下の識別情報を、複数の分割エリアの出入りに関する所定のタイミングで変更する変更機能と、を実現させるものである。
【発明の効果】
【００２３】
本発明に係る識別情報受信システム、識別情報受信方法及び識別情報受信プログラムによれば、途切れを抑制して汎用性を向上することができる。
【図面の簡単な説明】
【００２４】
【図１】本実施の一実施形態に係る識別情報受信システムの概要図である。
【図２】本実施の形態に係る識別情報受信システムにおけるエリアＨを特定エリアとした場合の隣接エリアとの関係を示す説明図である。
【図３】本実施の形態に係る識別情報受信システムにおける１つのエリア内における最大ビーコン設置数の説明図である。
【図４】本実施の形態に係る識別情報受信システムにおけるエリアＥを特定エリアとした場合の隣接エリアとの関係を示す説明図である。
【図５】本実施の形態に係る識別情報受信システムにおける出入口数を第２所定数とした場合の説明図である。
【図６】本実施の形態に係る識別情報受信システムにおける移動端末のＣＰＵが実行する動作ルーチンのフロー図である。
【図７】本実施の一実施形態に係る他の識別情報受信システムの概要図である。
【発明を実施するための形態】
【００２５】
次に、本発明の一実施形態に係る識別情報受信システムについて、図面を参照して説明する。なお、以下に示す実施形態は本発明の識別情報受信システムにおける好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００２６】
以下に示す実施の形態では、例えば、大型のショッピングモールの１フロア（若しくは一部）を全体エリアとし、その全体エリアを店舗単位で複数に分割した分割エリアとした場合で説明する。この際、例えば、ショッピングモールは上記従来技術におけるサービスエリア、１フロアは駐車エリア、店舗等は複数の駐車スペースを有する駐車ブロック、に対応させることができ、限定した定義として用いたものではなく、単なる説明の便宜上の例示である。
【００２７】
図１に示すように、本実施の形態に係る識別情報受信システム１は、所定の全体エリアの内部を移動可能なユーザに対応して移動する移動端末１０と、全体エリアを複数に分割した分割エリアごとに配置するとともに移動端末１０に向けて識別情報を発信しかつ移動端末１０の位置を特定するための複数の情報発信端末２０と、移動端末１０とインターネット回線ＮＴを通じて接続可能なサーバ２と、を備える。
【００２８】
サーバ２は、必要に応じて移動端末１０で利用する本実施の形態に関わるアプリケーションをダウンロード可能としている。サーバ２には、汎用のパーソナルコンピュータを用いることができる。サーバ２は、例えば、ショッピングモールで所有しているパーソナルコンピュータであって、インターネットサーバとして機能している。アプリケーションには、情報発信端末２０に対応した店舗情報等を移動端末１０で画像表示するための表示情報が含まれている。したがって、サーバ２は、携帯端末１０がアプリケーションをインストールすることができればよいため、必須の構成要件ではない。
【００２９】
移動端末１０は、公知のタッチパネル方式の表示画面１１と、ＲＡＭ１２などの各種内蔵メモリと、内蔵メモリに記憶した情報に基づいて各種機能を実行するＣＰＵ１３と、を備え、例えば、スマートフォン等の携帯端末を用いることができる。なお、移動端末１０は、スマートフォン等の携帯端末に限定されず、例えば、タブレット端末やウエアラブルウォッチ、或は、ショッピングモールに設置のカートに固定した専用端末等でもよい。移動端末１０には、インターネット回線ＮＴを通じてサーバ２と通信可能なインターネット通信機能に加え、Ｂｌｕｅｔｏｏｔｈ（登録商標）やＷｉ−Ｆｉ（登録商標）を通じて情報発信端末２０が発信した識別情報を受信する受信機能を有する。本実施の形態において、移動端末１０は、Ｂｌｕｅｔｏｏｔｈ（登録商標）  Ｌｏｗ  Ｅｎｅｒｇｙ（ＢＬＥ）を通じて情報発信端末２０が発信した識別情報を受信する。移動端末１０の内部メモリ（記憶部）には、サーバ２からダウンロードした本実施の形態に係るアプリケーションがインストールされている。アプリケーションは、例えば、表示画面１１に表示したアイコン１４をタッチすることにより起動する。なお、ＲＡＭ１２は特許請求の範囲の記憶部として機能し、ＣＰＵ１３は内蔵メモリにインストールした本実施の形態に係るアプリケーションに基づいて後述する機能を実行するもので、特許請求の範囲の変更部として機能する。また、図示しないアプリケーションをインストールした内蔵メモリとＣＰＵ１３とは、特許請求の範囲のコンピュータとして機能する。
【００３０】
本実施の形態に係るアプリケーションには、ショッピングモール内の全ての情報発信端末２０に対応した識別情報を情報発信端末２０から受信したことを契機として店舗情報等を表示画面１１に画面表示するための表示情報を含む。
【００３１】
識別情報には、情報発信端末２０を識別するためのＩＤに加え、情報発信端末２０の設置位置情報等を通知情報として含んでもよい。移動端末１０は、この位置情報を利用して、或は、情報発信端末２０が発信した識別情報の受信強度から、情報発信端末２０との相対距離を算出することが可能となっている。
【００３２】
識別情報のＩＤ（識別子）には、例えば、「ＵＵＩＤ」、「ｍａｊｏｒ」、「ｍｉｎｏｒ」の３種類を用いる。具体的には、「ＵＵＩＤ」は、例えば、フロア全体を単位とした情報発信端末２０の識別子として用いることができる。「ｍａｊｏｒ」は、同一の「ＵＵＩＤ」を持つ情報発信端末２０の識別子として用いることができる。「ｍａｊｏｒ」は、フロア全体の各店舗に割り当ててグルーピングすることができる。「ｍｉｎｏｒ」は、同一店舗ごとに割り当ててグルーピングすることができる。「ｍｉｎｏｒ」を同一店舗の適宜箇所に設置することで店舗固有の識別情報とすることができる。
【００３３】
なお、例えば、「ｍａｊｏｒ」は、フロア全体の店舗数等に応じて、種別情報として利用することも可能である。この際、種別には、「紳士」「婦人」「子供」などの客層や、「洋服」「雑貨」「靴」「鞄」などの売り物、などがある。
【００３４】
これにより、フロア内の店舗数が多い場合には、これらの種別を識別情報に含ませることにより、ユーザが立ち寄りそうな店舗を予め絞り込むことができる。
【００３５】
識別情報は、移動端末１０と情報発信端末２０との相対距離に応じて異なる識別情報を情報発信端末２０から発信することができる。例えば、移動端末１０と情報発信端末２０との相対距離が数センチの「Ｉｍｍｅｄｉａｔｅ」、１ｍ程度の「Ｎｅａｒ」、１０ｍ程度の「Ｆａｒ」、の３つの相対距離に応じた識別情報を発信することができる。
【００３６】
これにより、移動端末１０は、例えば、移動端末１０が入口から店舗内に進入したときに「Ｆａｒ」の通常情報を受信し、お勧め商品などに接近したときに「Ｎｅａｒ」の識別情報を受信し、お勧め商品を手に取ったときに「Ｉｍｍｅｄｉａｔｅ」の識別情報を受信することにより、相対距離に応じた表示情報を表示画面１１に表示させることができる。また、例えば、「Ｆａｒ」の通常情報は、店舗の中に入るとき（入る直前）又は入ったとき（入った直後）、店舗の中から出るとき（出る直前）又は出たとき（出た直後）を「ＥＮＴＥＲ」又は「ＥＸＩＴ」として用いることができる。このような、ある店舗の出入りに関する所定のタイミングを利用して、入店し易い勧誘的な情報表示、入店したことへの感謝ポイント等の情報表示、退店し難い（引き留め易い）サービス情報表示、退店後の次回利用し易い特典情報表示や友人等への拡散情報表示等を適切なタイミングで行うことができる。また、この所定のタイミングにより、移動端末１０は、識別情報の変更を行うことができる。
【００３７】
情報発信端末２０は、例えば、発信専用のエリアビーコンを用いている。情報発信端末２０は、各情報発信端末２０で固有の識別情報又は通知情報を常時発信している。識別情報又は通知情報は、移動端末１０によって店舗への出入りを監視するものとしても利用することができる。
【００３８】
移動端末１０は、情報発信端末２０の発信領域内での移動端末１０の出入りだけでなく、移動端末１０と情報発信端末２０に対する距離に関するメゾットを実装することができる。
【００３９】
通知情報は、移動端末１０が識別情報を受信して識別情報に含まれる通知情報を認識したときに所定のアクションを起こすための契機として用いることができる。これにより、通知情報に「クーポンをダウンロード」というアクション用のメゾットを実装しておけば、発信領域に進入した移動端末１０により識別情報に含まれる通知情報を認識し、移動端末１０にインストールしたアプリケーションにより表示画面１１にクーポン画像を表示することができる。また、「現在位置を特定」というアクション用のメゾットを実装しておけば、識別情報の受信強度に基づいて情報発信端末２０との相対距離である現在の位置を計測する。この際、識別情報に含まれる通知情報に予め位置情報を設定しておけば、その位置情報と受信電波強度とにより移動端末１０で現在位置を算出することができる。これにより、ＧＰＳ信号を受信し難い「屋内」であっても、ユーザの移動経路を記録することができる。
【００４０】
次に、本実施の形態における情報発信端末２０の設置例（配置例）を説明する。なお、以下の説明では、説明の便宜上、単純な区画で説明する。また、各区画の出入口等は省略する。また、移動端末１０に内蔵のＲＡＭ（記憶部）には、アプリケーションによって２０の識別情報を書き換え可能（変更可能）に記憶することができるようになっている。
【００４１】
図２に示すように、ショッピングモール等の１フロア（全体エリア）に対して９つの分割エリアに区画した店舗Ａ〜Ｈとしているものとする。なお、分割エリアは設計上のものであって、実際に壁面等で区画されているか否かは問わない。ここで、ユーザが店舗Ｈを訪れた場合、店舗Ｈに隣接する隣接エリアは店舗Ｄ，Ｅ，Ｆ，Ｇ，Ｉの５店となる。
【００４２】
したがって、図２に示した状態であって、各店舗Ｄ〜Ｉの出入口が特定されてなく、ユーザが店舗Ｈを訪れているときに、ユーザが店舗Ｈから店舗Ｄに移動した場合には情報発信端末２０（Ｄ）、ユーザが店舗Ｈから店舗Ｅに移動した場合には情報発信端末２０（Ｅ）、ユーザが店舗Ｈから店舗Ｆに移動した場合には情報発信端末２０（Ｆ）、ユーザが店舗Ｈから店舗Ｇに移動した場合には情報発信端末２０（Ｇ）、ユーザが店舗Ｈから店舗Ｉに移動した場合には情報発信端末２０（Ｉ）、によって移動した旨を検出することができる。
【００４３】
このため、移動端末１０のＲＡＭ１２には、これら５店舗数を第２所定数として、対応した移動（入店）検出用の識別情報を記憶している。
【００４４】
また、現在位置している店舗Ｈには、例えば、図３に示すように、Ｈ１〜Ｈ１２までの１２個を第1所定数とする情報発信端末２０を配置している。なお、この場合、第２所定数が５個であることから、ＲＡＭ１２に記憶可能な識別情報の全体上限数が２０である場合、最大で１５個の情報発信端末２０を設置することができる。
【００４５】
一方、図４に示すように、ユーザが店舗Ｅを訪れた場合、店舗Ｅに隣接する隣接エリアは店舗Ｅを除く全ての８店となる。
【００４６】
したがって、図４に示した状態であって、各店舗Ａ〜Ｈの出入口が特定されていないとしたら、ユーザが店舗Ｅを訪れているときに、このユーザが店舗Ｅから店舗Ａに移動した場合には情報発信端末２０（Ａ）、ユーザが店舗Ｈから店舗Ｄに移動した場合には情報発信端末２０（Ｄ）、ユーザが店舗Ｈから店舗Ｅに移動した場合には情報発信端末２０（Ｅ）、ユーザが店舗Ｈから店舗Ｆに移動した場合には情報発信端末２０（Ｆ）、ユーザが店舗Ｈから店舗Ｇに移動した場合には情報発信端末２０（Ｇ）、ユーザが店舗Ｈから店舗Ｉに移動した場合には情報発信端末２０（Ｉ）、によって移動した旨を検出することができる。
【００４７】
このため、移動端末１０のＲＡＭ１２には、これら８店舗数を第２所定数として、対応した移動（入店）検出用の識別情報を記憶している。なお、この場合、第２所定数が８であることから、ＲＡＭ１２に記憶可能な識別情報の全体上限数が２０である場合、最大で１２個の情報発信端末２０を設置することができる。また、この第２所定数が最大となる８を固定の数として、各店舗Ａ〜Ｉに設置する情報発信端末２０の第１所定数を１２以下で固定又は可変とすることができる。
【００４８】
また、現在位置している店舗Ｈには、例えば、図３に示すように、Ｈ１〜Ｈ１２までの１２を第1所定数とする情報発信端末２０を配置している。
【００４９】
また、これらは、各店舗Ａ〜Ｉに出入口を設定していない場合として説明したが、例えば、図５に示すように、出入口を設けている場合には、各出入口に付近に設置の情報発信端末２０を移動検出用として用いることができる。
【００５０】
この際、ユーザは、廊下等の共有エリアを利用して移動することから、特定の分割エリアである店舗Ａ〜Ｉに対して、隣接する店舗Ａ〜Ｉを必ずしも経由する必要がない。このようなフロア構造の場合には、ユーザが共有スペースである廊下を歩いている状態で、各出入口、例えば、図５の場合では合計で１２個の情報発信端末２０を移動検出用として用いる必要がある。
【００５１】
したがって、ＲＡＭ１２には、第２所定数を１２とする識別情報を記憶するとともに、全体上限数２０から第２所定数の１２を差分した８を第１所定数として識別情報を記憶する。なお、各店舗Ａ〜Ｉに設置する情報発信端末２０においても、第１所定数を最大設置数として設置する。
【００５２】
なお、このように第２所定数が第１所定数を上回るような場合、各店舗に設置する情報発信端末の数が減ってしまうことから、例えば、店舗Ｇ，Ｈ，Ｉを基準とすると、店舗Ａと店舗Ｂとの間の共有スペースである廊下や、店舗Ｂと店舗Ｃとのとの間の共有スペースである廊下に、店舗内に設置の情報発信端末２０とは別に、移動検出専用の情報発信端末２０を配置し、第２所定数の数を減らすことも可能である。なお、このような場合、例えば、上記専用に換えて店舗Ｂの情報発信端末２０（Ｂ１，Ｂ２）で共有してもよい。
【００５３】
次に、移動端末１０のＣＰＵ１３による識別情報の変更ルーチンを図６のフロー図を参照して説明する。なお、ＣＰＵ１３は、ユーザが所有する移動端末１０のＲＡＭ１２に、予め来店用の識別情報を記憶しているものとする。この際、ＲＡＭ１２に記憶した識別情報としては、ショッピングモール全体の各フロア入口に設置した情報発信端末２０に対応した識別情報、フロアに入ったときにはそのフロアに対応した識別情報、が記憶されるが、この際の変更も以下の説明と実質的に同じである。したがって、以下の説明では、図２に示した店舗Ｈから、図４に示した店舗Ｅへと移動した場合で説明する。
【００５４】
すなわち、移動端末１０は、情報発信端末２０から受信した識別情報を識別するために、予め設定した全体上限数以下の識別情報をアプリケーションから取得して記憶するＲＡＭ１２と、ＲＡＭ１２に記憶した上限数以下の識別情報を、複数の分割エリアのうち移動端末１０が現在位置している特定の分割エリアに対応した第１所定数の識別情報及び複数の分割エリアのうち特定の分割エリアを除く他の所定の分割エリアに対応した第２所定数の識別情報を含むように、第１所定数と第２所定数との和が全体上限数以下の範囲で移動端末１０の現在位置が移動するごとに変更する変更部としてのＣＰＵ１３と、を備える。
【００５５】
ステップＳ１において、ＣＰＵ１３は、ＲＡＭ１２に特定の分割エリアである店舗Ｈの内部に配置した第１所定数が１２の情報発信端末２０（Ｈ１〜Ｈ１２）に対応した情報発信用の識別情報と、隣接エリアである店舗Ｄ，Ｅ，Ｆ，Ｇ，Ｉの内部に配置した第２所定数が５の情報発信端末２０に対応した移動検出用の識別情報と、を記憶し、ステップＳ２へと移行する。
【００５６】
ステップＳ２において、ＣＰＵ１３は、識別情報を受信したか否かを判定し、識別情報を受信したと判定した場合（Ｙｅｓ）にはステップＳ３へと移行し、識別情報を受信したと判定しなかった場合（Ｎｏ）には、引き続きこのルーチンを監視する。
【００５７】
ステップＳ３において、ＣＰＵ１３は、識別情報に含まれる通知情報（以下、単に「識別情報」とする）を認識し、ステップＳ４へと移行する。
【００５８】
ステップＳ４において、ＣＰＵ１３は、識別情報が店舗Ｈの情報発信用であるか否かを判定し、情報発信用であると判定した場合（Ｙｅｓ）にはステップＳ５へと移行し、情報発信用であると判定しなかった場合（Ｎｏ）にはステップＳ６へと移行する。
【００５９】
ステップＳ５において、ＣＰＵ１３は、情報発信用の識別情報を認識したことにより、識別情報に基づく処理をアプリケーションから取得し、表示画面１１に表示したうえで、次の識別情報の受信を待機するためにステップＳ２へとループする。
【００６０】
ステップＳ６において、ＣＰＵ１３は、識別情報が移動検出用であるか否かを判定し、移動検出用であると判定した場合（Ｙｅｓ）にはステップＳ７へと移行し、移動検出用であると判定しなかった場合（Ｎｏ）には何の処理も実行せずに、次の識別情報の受信を待機するためにステップＳ２へとループする。
【００６１】
ステップＳ７において、ＣＰＵ１３は、移動端末１０が移動したことにより、識別情報から移動先が店舗Ｅである旨を確定したうえで、ステップＳ１で記憶した店舗Ｈに対する記憶情報を消去し、新たな特定の分割エリアである店舗Ｅの内部に配置した第１所定数が１２の情報発信端末２０に対応した識別情報と、隣接エリアである店舗Ａ，Ｂ，Ｃ，Ｄ，Ｆ，Ｇ，Ｈ，Ｉの内部に配置した第２所定数が８の情報発信端末２０に対応した識別情報と、をＲＡＭ１２に記憶し、次の識別情報の受信を待機するためにステップＳ２へとループする。
【００６２】
これにより、ＲＡＭ１２は、移動端末１０の現在位置に応じて、最新の識別情報を含む識別情報を、全体上限数を限度に記憶しているため、移動端末１０及び情報発信端末２０の双方に対して、識別情報の発信及び受信に関する途切れを発生し難くすることができ、しかも、多くの第１所定数分の店舗用情報である識別情報を受信することができ、汎用性を向上することができる。
【００６３】
このように、本発明の識別情報受信システム１にあっては、所定の全体エリアを複数に分割した分割エリアごとに配置するとともに、識別情報を発信する情報発信端末２０と、全体エリアの内部を移動可能なユーザに対応して移動するとともに、情報発信端末２０が発信した識別情報を受信して識別情報に基づく画像を表示画面に表示するためのアプリケーションをインストールした移動端末１０と、を備え、移動端末１０は、情報発信端末２０から受信した識別情報を識別するために、予め設定した全体上限数以下の識別情報をアプリケーションから取得して記憶する記憶部としてのＲＡＭ１２と、ＲＡＭ１２に記憶した上限数以下の識別情報を、複数の分割エリアの出入りに関する所定のタイミングで変更する変更部としてのＣＰＵ１３と、を備えることにより、途切れを抑制して汎用性を向上することができる。
【００６４】
ところで、上記実施の形態では、移動端末１０と、複数の情報発信端末２０と、サーバ２と、を備えた場合で示したが、本発明に係る識別情報受信システム１で、これに限定されるものではない。
【００６５】
例えば、移動端末１０のＲＡＭ１２に記憶する識別情報の上限数は、上記の数に限定されるものではない。また、同一フロア内に廊下やエレベータホールなどの共有スペースが存在する場合には、この共有スペースを他の分割エリアの一部として適用することができる。
【００６６】
図７に示す識別情報受信システム１は、移動端末１０と、複数の情報発信端末２０と、サーバ２と、に加え、サーバ２及び情報発信端末２０と相互通信可能に接続した管理端末３を配置したものである。
【００６７】
管理端末３は、例えば、各分割エリアである店舗等毎に設置することができる。管理端末３は、例えば、汎用のパーソナルコンピュータ（図はノート型）や各種タブレット等を用いることができる。管理端末３は、各店舗における端末サーバ２に格納したアプリケーションのうち自店舗に関する情報の更新等を行ったり、情報発信端末２０と相互通信することで情報発信端末２０から発信する位置情報等の各種情報の更新等を行うことができる。
【００６８】
なお、サーバ２は管理端末３で兼用してもよい。また、管理端末３には、汎用のノート型パーソナルコンピュータやタブレット端末等を用いており、ショッピングモールの管理室等、或は、各店舗等に設置することができる。なお、本実施の形態では、全体エリアとして１フロア全体で適用した例で説明するため、ショッピングモールの管理室等に設置したノート型パーソナルコンピュータとして説明する。この管理端末３の内部メモリ又は外部メモリは、フロアや各店舗等に設置した情報発信端末２０の識別情報、その他、情報発信端末２０から発信する識別情報に通知情報及び各情報発信端末２０のメゾットを作成して各情報発信端末２０に向けて送信するよう、通信接続可能となっている。管理端末３は、必要に応じて移動端末１０で利用する本実施の形態に関わるアプリケーションをダウンロード可能とすることができる。これにより、店舗に来店した新規の顧客に対して、本実施の形態にかかわるシステムを利用することが可能になる。
【００６９】
本発明の識別情報受信システムは、途切れを抑制して汎用性を向上することができるという効果を有し、複数の情報発信端末を用いた複数のエリアにおける識別情報受信システム全般に適用することができる。
【符号の説明】
【００７０】
１  識別情報受信システム
２  管理端末
１０  移動端末
１１  表示画面
１２  ＲＡＭ（記憶部）
１３  ＣＰＵ（変更部）
２０  情報発信端末
【図１】
2017182158.tif 000003
【図２】
2017182158.tif 000004
【図３】
2017182158.tif 000005
【図４】
2017182158.tif 000006
【図５】
2017182158.tif 000007
【図６】
2017182158.tif 000008
【図７】
2017182158.tif 000009